(57)【特許請求の範囲】
【請求項１】
表示部と、
前記表示部に対する操作を検出する検出部と、
複数の形状に関する画像それぞれに対応する形状画像データを記憶する記憶部と、
シートに描かれた図形の画像を読み取る読取部と、
前記読取部によって読み取られた図形の画像に基づいて当該図形に対応する形状に関する画像を作製し、当該画像に対応する画像データを前記形状画像データとして前記記憶部に記憶させるボタン画像作製部と、
前記記憶部に記憶される前記形状画像データそれぞれに基づく複数の形状に関する画像のうちいずれか１つの画像を選択する選択部と、
前記選択部によって選択された画像についての形状の大きさを設定して第１のボタン画像を生成する生成部と、
前記生成部によって生成された第１のボタン画像に対応する第１のボタン画像データを前記記憶部に記憶する記憶制御部と、
前記記憶制御部によって前記記憶部に記憶された前記第１のボタン画像データに基づく第１のボタン画像を前記表示部に表示させる表示制御部と、を備え、
前記表示制御部は、前記表示部に表示されるボタンに対して所定の操作が行われた場合に、当該ボタンの形状を変えるための第１画面を前記表示部に表示させ、
前記読取部は、前記第１画面において所定のボタンが操作された場合に、画像を読み取る
入力装置。
【請求項２】
前記生成部は、第１のボタン画像を生成した場合、さらに、当該第１のボタン画像が操作された場合に関する第２のボタン画像を生成し、
前記記憶制御部は、前記第１のボタン画像データと、第２のボタン画像に対応する第２のボタン画像データとを前記記憶部に記憶し、
前記表示制御部は、前記記憶部から前記第１のボタン画像データを読み出して前記第１のボタン画像データに基づく第１のボタン画像を前記表示部に表示させると共に、前記検出部によって第１のボタン画像に対応する領域への前記表示部に対する操作が検出された場合に、前記記憶部から前記第２のボタン画像データを読み出して第１のボタン画像に代えて前記第２のボタン画像データに基づく第２のボタン画像を前記表示部に表示させる
請求項１に記載の入力装置。
【請求項３】
外部から入力された識別情報を認証することに基づいて、ログイン処理を行うログイン処理部をさらに備え、
前記記憶制御部は、前記ログイン処理部によって認証された識別情報に対応させて前記第１のボタン画像データを前記記憶部に記憶し、
前記表示制御部は、前記ログイン処理部によってログイン処理が行われた場合に、前記ログイン処理部によって認証された識別情報に対応する前記第１のボタン画像データを前記記憶部から読み出して、前記第１のボタン画像データに基づく第１のボタン画像を前記表示部に表示させる
請求項１又は２に記載の入力装置。
【請求項４】
請求項１から３のいずれか１項に記載の入力装置を備える画像形成装置。
【発明の詳細な説明】
【技術分野】
【０００１】
本発明は、表示部及び検出部を備えるタッチパネルにボタン画像を表示することが可能な入力装置、及びその入力装置を備える画像形成装置に関する。
【背景技術】
【０００２】
入力装置には、画像を表示することが可能な表示部と、表示部に対する操作を検出する検出部とから構成されるタッチパネルを備えるものがある。このような入力装置では、タッチパネルに表示されるボタンの配置位置を適宜設定することができるものがある（特許文献１参照）。
【先行技術文献】
【特許文献】
【０００３】
【特許文献１】特開２００８−２１９５０１号公報
【発明の概要】
【発明が解決しようとする課題】
【０００４】
しかしながら、特許文献１に記載された装置では、ボタンの形状を変更することができないため、個々のボタンに特徴を持たせることができない。ボタンが特徴を持たない場合には、タッチパネルに表示される複数のボタンのいずれもが同一の形状となり、ユーザーにとってボタンがわかり難い（区別し難い）ものとなる。
【０００５】
本発明は、ボタンに特徴を持たせるために、ボタンの形状を変更可能にした入力装置を提供することを目的とする。
また、本発明は、その入力装置を備える画像形成装置を提供することを目的とする。
【課題を解決するための手段】
【０００６】
本発明は、表示部と、前記表示部に対する操作を検出する検出部と、複数の形状の画像それぞれに対応する形状画像データを記憶する記憶部と、前記記憶部に記憶される前記形状画像データそれぞれに基づく複数の形状の画像のうちいずれか１つの画像を選択する選択部と、前記選択部によって選択された画像についての形状の大きさを設定して第１のボタン画像を生成する生成部と、前記生成部によって生成された第１のボタン画像に対応する第１のボタン画像データを前記記憶部に記憶する記憶制御部と、前記記憶制御部によって前記記憶部に記憶された前記第１のボタン画像データに基づく第１のボタン画像を前記表示部に表示させる表示制御部と、を備える入力装置に関する。
【０００７】
また、前記生成部は、第１のボタン画像を生成した場合、さらに、当該第１のボタン画像が操作された場合に関する第２のボタン画像を生成し、前記記憶制御部は、前記第１のボタン画像データと、第２のボタン画像に対応する第２のボタン画像データとを前記記憶部に記憶し、前記表示制御部は、前記記憶部から前記第１のボタン画像データを読み出して前記第１のボタン画像データに基づく第１のボタン画像を前記表示部に表示させると共に、前記検出部によって第１のボタン画像に対応する領域への前記表示部に対する操作が検出された場合に、前記記憶部から前記第２のボタン画像データを読み出して第１のボタン画像に代えて前記第２のボタン画像データに基づく第２のボタン画像を前記表示部に表示させることが好ましい。
【０００８】
また、入力装置は、シートに描かれた図形の画像を読み取る読取部と、前記読取部によって読み取られた図形の画像に基づいて当該図形に対応する形状に関する画像を作製し、当該画像に対応する画像データを前記形状画像データとして前記記憶部に記憶させるボタン画像作製部と、をさらに備えることが好ましい。
【０００９】
また、入力装置は、外部から入力された識別情報を認証することに基づいて、ログイン処理を行うログイン処理部をさらに備え、前記記憶制御部は、前記ログイン処理部によって認証された識別情報に対応させて前記第１のボタン画像データを前記記憶部に記憶し、前記表示制御部は、前記ログイン処理部によってログイン処理が行われた場合に、前記ログイン処理部によって認証された識別情報に対応する前記第１のボタン画像データを前記記憶部から読み出して、前記第１のボタン画像データに基づく第１のボタン画像を前記表示部に表示させることが好ましい。
【００１０】
また、本発明は、上述した入力装置を備える画像形成装置に関する。
【発明の効果】
【００１１】
本発明によれば、ボタンに特徴を持たせるために、ボタンの形状を変更可能にした入力装置、及び、その入力装置を備える画像形成装置を提供することができる。
【図面の簡単な説明】
【００１２】
【図１】画像形成装置の一実施形態に係るコピー機の全体構成を説明するための図である。
【図２】コピー機の機能構成を示すブロック図である。
【図３】操作部について説明するための図である。
【図４】タッチパネルに表示される第１の画面について説明するための図である。
【図５】タッチパネルに表示される第２の画面について説明するための図である。
【図６】タッチパネルに表示される第３の画面について説明するための図である。
【図７】第２のボタン画像について説明するための第１の図である。
【図８】第２のボタン画像について説明するための第２の図である。
【図９】タッチパネルに表示される第４の画面について説明するための図である。
【図１０】第１のボタン画像の配置位置について説明するための第１の図である。
【図１１】第１のボタン画像の配置位置について説明するための第２の図である。
【図１２】入力装置（コピー機）の動作について説明するためのフローチャートである。
【発明を実施するための形態】
【００１３】
以下、図面を参照して、本発明の入力装置及び画像形成装置の一実施形態について説明する。入力装置は、種々の機器に搭載されることが可能である。以下では、入力装置が、画像形成装置に搭載された例について説明する。まず、画像形成装置の一例としてのコピー機１について説明する。図１は、画像形成装置の一実施形態に係るコピー機１の全体構成を説明するための図である。
【００１４】
図１に示すように、コピー機１は、原稿搬送部１０と、原稿読取部２０と、用紙搬送部３０と、画像形成部４０と、転写部５０と、定着部６０とを備える。
原稿搬送部１０は、ＡＤＦ（Ａｕｔｏｍａｔｉｃ  Ｄｏｃｕｍｅｎｔ  Ｆｅｅｄｅｒ）であり、原稿載置部１１と、第１送りローラー１２と、ガイド１３と、タイミングローラー対１４と、原稿排出部１５とを備える。第１送りローラー１２は、原稿載置部１１に載置された原稿Ｇを１枚ずつ順にタイミングローラー対１４に供給する。タイミングローラー対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇをコピー機本体２の外部に排出する。
原稿排出部１５におけるコピー機本体２の外側には、原稿集積部１６が形成される。原稿集積部１６には、原稿排出部１５から排出された原稿Ｇが積層して集積される。
【００１５】
原稿読取部２０は、第１読取面２１ａと、第２読取面２２ａとを備える。第１読取面２１ａは、ガイド１３に対向して配置された第１コンタクトガラス２１の上面に沿って形成され、原稿Ｇの画像を読み取る面となる。第２読取面２２ａは、第１読取面２１ａに隣接して（図１に示す場合では、第１読取面２１ａの右側の大部分に亘って）配置される。第２読取面２２ａは、原稿搬送部１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。
【００１６】
また、原稿読取部２０は、照明部２３と、第１ミラー２４と、第２ミラー２５と、第３ミラー２６と、結像レンズ２７と、撮像部２８とをコピー機本体２の内部に備える。照明部２３と第１ミラー２４とは、それぞれ副走査方向Ｘに移動する。第２ミラー２５と第３ミラー２６とは、図１において照明部２３及び第１ミラー２４の左側に配置される。さらに、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００１７】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、入射された光を電気信号に変換することにより、結像された光像に基づいて画像データを得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサーである。
【００１８】
用紙搬送部３０は、第２送りローラー３１と、第３送りローラー３２と、レジストローラー対３３と、用紙排出部３４とを備える。第２送りローラー３１は、給紙カセット３６に収容される用紙Ｔ（被画像形成媒体）を転写部５０に供給する。第３送りローラー３２は、手差しトレイ３７に載置される用紙Ｔ（被画像形成媒体）を転写部５０に供給する。レジストローラー対３３は、転写部５０にトナー画像が到達するタイミングと、転写部５０に用紙Ｔを供給するタイミングとを合わせるために、用紙Ｔの搬送又は用紙Ｔの搬送停止を行う。また、レジストローラー対３３は、用紙Ｔのスキュー（斜め給紙）補正を行う。用紙排出部３４は、トナー画像が定着された用紙Ｔをコピー機本体２の外部に排出する。
用紙排出部３４におけるコピー機本体２の外側には、排紙集積部３５が形成される。排紙集積部３５には、用紙排出部３４から排出された用紙Ｔが積層して集積される。
【００１９】
画像形成部４０は、トナー画像を形成するためのものであり、感光体ドラム４１と、帯電部４２と、レーザースキャナーユニット４３と、現像器４４と、クリーニング部４５と、トナーカートリッジ４６と、１次転写ローラー４７と、中間転写ベルト４８と、対向ローラー４９とを備える。
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザースキャナーユニット４３と、現像器４４と、クリーニング部４５とが配置される。帯電部４２は、感光体ドラム４１の表面を帯電させる。レーザースキャナーユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００２０】
１次転写ローラー４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラー４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラー４９は、環状形状の中間転写ベルト４８の内側に配置され、中間転写ベルト４８を図１に示す矢印Ａ方向に進行させるための駆動ローラーである。
【００２１】
転写部５０は、２次転写ローラー５１を備える。２次転写ローラー５１は、中間転写ベルト４８における対向ローラー４９とは反対側に配置され、中間転写ベルト４８の一部分を対向ローラー４９との間に挟みこむ。さらに、２次転写ローラー５１は、中間転写ベルト４８に１次転写されたトナー画像を用紙Ｔに２次転写させる。
【００２２】
定着部６０は、加熱回転体６１と、加圧回転体６２とを備える。加熱回転体６１と加圧回転体６２とは、トナー画像が２次転写された用紙Ｔを挟み込んで、トナーを溶融及び加圧し、そのトナーを用紙Ｔに定着させる。
【００２３】
次に、コピー機１の機能構成について説明する。図２は、コピー機１の機能構成を示すブロック図である。図３は、操作部７０について説明するための図である。
図２に示すように、コピー機１は、上述した構成要素（原稿搬送部１０、原稿読取部２０、用紙搬送部３０、画像形成部４０、転写部５０及び定着部６０）を備える。用紙搬送部３０、画像形成部４０、転写部５０及び定着部６０によりエンジン部３が構成される。なお、図１を用いて説明した構成要素については、その説明を省略する。
さらに、コピー機１は、上述した機能構成に加えて、操作部７０と、記憶部８０と、制御部９０とを備える。なお、本発明の入力装置の一実施形態は、原稿読取部２０と、操作部７０と、記憶部８０と、制御部９０とを備える。
【００２４】
図３に示すように、操作部７０は、テンキー７１、タッチパネル７２及びスタートキー７３等を備える。テンキー７１は、印刷部数等の数字を入力するために操作される。
タッチパネル７２は、種々の機能（一例として、印刷倍率の設定機能や、複数のページを１枚の用紙Ｔに割り付ける機能（２ｉｎ１等））が割り当てられた複数のキー（ボタン画像）等を表示する。タッチパネル７２に表示されたキーは、種々の機能のうちのいずれかをコピー機１に実行させるために操作される。より具体的には、タッチパネル７２は、表示部７２ａ（図２参照）と、その表示部７２ａに対する操作を検出する検出部７２ｂ（図２参照）とを備える。検出部７２ｂは、タッチセンサーである。
スタートキー７３は、印刷を実行させるために操作される。操作部７０は、いずれかのキーが操作されることにより、このキーが操作されたことを表す信号を制御部９０に供給する。
【００２５】
図２に示すように、記憶部８０は、ハードディスクや半導体メモリー等から構成される。記憶部８０は、原稿読取部２０によって読み取られた原稿Ｇに基づく画像データを記憶する。また、記憶部８０は、コピー機１において利用される制御プログラム、及びこの制御プログラムによって利用されるデータ等を記憶する。また、記憶部８０は、複数の形状に関する画像それぞれに対応する形状画像データを記憶する。その画像の形状は、例えば、円形や星型や矢印型等である。
【００２６】
制御部９０は、原稿搬送部１０、原稿読取部２０、エンジン部３、操作部７０等を制御する。
また、制御部９０は、選択部９１と、生成部９２と、記憶制御部９３と、表示制御部９４と、ボタン画像作製部９５と、ログイン処理部９６と、配置制御部９７とを備える。
【００２７】
図４は、タッチパネル７２に表示される第１の画面について説明するための図である。図５は、タッチパネル７２に表示される第２の画面について説明するための図である。図６は、タッチパネル７２に表示される第３の画面について説明するための図である。
表示制御部９４（図２参照）は、タッチパネルに画像を表示させる。なお、表示制御部９４の詳細については、後述する。
【００２８】
まず、表示制御部９４は、タッチパネル７２に初期画面を表示させる。例えば、初期画面には、用紙Ｔに画像を印刷するときに使用される頻度の高いボタンが表示される。より具体的な一例としては、初期画面には、「カラー設定」ボタン、「両面設定」ボタン及び「画質設定」ボタンが表示される。「カラー設定」ボタンには、用紙Ｔに印刷される画像の色を調整等する機能が割り当てられる。「両面設定」ボタンには、用紙Ｔの両面に画像を形成させるための機能が割り当てられる。「画質設定」ボタンには、用紙Ｔに印刷される画像の画質を調整等する機能が割り当てられる。
【００２９】
そして、表示制御部９４は、タッチパネル７２に表示されるボタンに対して所定の操作が行われた場合には、そのボタンの配置位置を変更し、又は、そのボタンの形状を変えるためのポップアップ表示を行う。所定の操作は、所定の時間内に所定の回数だけボタンをタッチする操作（一例として、ダブルクリック操作）であったり、所定の時間以上ボタンをタッチし続ける操作（長押し操作）であったりする。一例として、初期画面に表示される「画質設定」ボタンに対して所定の操作が行われた場合には、表示制御部９４は、図４に示すような、ボタンの配置位置を変更するための「ボタン配置の設定」ボタン、及び、ボタン画像の形状を変更するための「ボタン画像の設定」ボタンを含むポップアップ表示を行う。なお、ボタンの配置位置の変更及びボタンの形状の変更は、初期画面に表示されるボタンに対して可能なばかりでなく、他の画面に表示されるボタンに対しても可能である。このように、表示制御部９４は、タッチパネル７２に表示されるボタンに対して所定の操作が行われることにより、タッチパネル７２に表示される画面をボタンに関して変更を行う画面に変更することができる。
【００３０】
表示制御部９４は、「ボタン画像の設定」ボタンが選択された場合には、ポップアップを、図４に例示する表示から図５に例示する表示に変更する。図５に例示するポップアップ表示は、複数のボタン画像の形状の中からいずれか１つの形状を選択させるための画面である。そして、選択部９１は、記憶部８０に記憶される形状画像データそれぞれに基づく複数の形状に関する画像のうちいずれか１つの画像を選択する。すなわち、ユーザーがタッチパネル７２を操作することに基づいて複数の形状のうちいずれか１つの形状を選択した場合には、選択部９１は、ユーザーによって選択された形状に対応する画像を選択する。ここでは、例えば、選択部９１によって、星型の形状が選択されたとする。
【００３１】
生成部９２は、選択部９１によって選択された画像についての形状の大きさを設定して第１のボタン画像を生成する。具体例としては、選択部９１によって星型の形状が選択され、その後、図５に表示される「編集」ボタンが操作された場合には、表示制御部９４は、ポップアップを、選択された星型の形状を編集するための表示に変更する。星型の形状を編集するためのポップアップ表示は、例えば、図６に示すような、形状の大きさを調整する画面である。ここで、形状の大きさは、ユーザーの調整操作に基づいて生成部９２が設定することが可能であり、又は、生成部９２が自動的に設定することが可能である。
【００３２】
ユーザーの調整操作に基づいて形状の大きさを設定する場合、生成部９２は、タッチパネル７２に表示される拡大ボタン「＋」がユーザーによって操作されると形状（例えば、星型）を段階的に大きくし、タッチパネル７２に表示される縮小ボタン「−」がユーザーによって操作されると形状（例えば、星型）を段階的に小さくする。
一方、ボタン画像の大きさを自動的に調整する場合、生成部９２は、設定対象となる形状（例えば、星型）をボタン画像としたときに、そのボタン画像に配置されるテキストの大きさに合わせてその形状を拡大し又は縮小する。ここで、その形状（ボタン画像）に配置されるテキストは、予め設定されている。具体的な一例としては、設定対象となる形状（ボタン画像）に画質設定機能を割り当てる場合には、その形状に配置されるテキストは、「画質設定」となる。このため、生成部９２は、「画質設定」のフォントの大きさ等に基づいてテキストが占める大きさ（面積）を求め、その求めた大きさのテキストをその形状の内部に配置することが可能となるように、その形状の大きさを設定する。
【００３３】
記憶制御部９３は、生成部９２によって生成された第１のボタン画像に対応する第１のボタン画像データを記憶部８０に記憶する。この場合、記憶制御部９３は、テキストを含む第１のボタン画像に対応する第１のボタン画像データを記憶部８０に記憶することが可能である。例えば、第１のボタン画像の内部にテキストとして「画質設定」を配置する場合には、記憶制御部９３は、ボタン形状の内部にテキスト「画質設定」が配置された第１のボタン画像に対応する第１のボタン画像データを記憶部８０に記憶する。
【００３４】
また、記憶制御部９３は、第１のボタン画像データと、その第１のボタン画像データに基づく第１のボタン画像に割り当てられる機能とを対応付けて、その第１のボタン画像データを記憶部８０に記憶する。例えば、第１のボタン画像に画質設定機能が割り当てられる場合には、記憶制御部９３は、その第１のボタン画像に対応する第１の画像データと画質設定機能とを対応付けて、その第１のボタン画像データを記憶部８０に記憶する。
【００３５】
表示制御部９４は、記憶制御部９３によって記憶部８０に記憶された第１のボタン画像データに基づく第１のボタン画像をタッチパネル７２に表示させる。具体的な一例としては、表示制御部９４は、テキストとして「画質設定」が配置された第１のボタン画像をタッチパネル７２に表示させる（一例として、図１０（Ａ）参照）。そして、制御部９０は、その第１のボタン画像が操作された場合には、記憶制御部９３によって第１のボタン画像（第１のボタン画像データ）に対応付けて記憶部８０に記憶された画質設定機能を起動させる。
【００３６】
また、図７は、第２のボタン画像について説明するための第１の図である。図８は、第２のボタン画像について説明するための第２の図である。
【００３７】
生成部９２は、第１のボタン画像を生成した場合、さらに、その第１のボタン画像が操作された場合に関する第２のボタン画像を生成することが可能である。第２のボタン画像は、例えば、タッチパネル７２に表示される第１のボタン画像が押下（タッチ）された場合の画像、タッチパネル７２に表示される第１のボタン画像に対する操作が無効の場合の画像、タッチパネル７２に表示される第１のボタン画像が選択された場合の画像、タッチパネル７２に表示される第１のボタン画像が選択・押下されている場合の画像、及び、タッチパネル７２に表示される第１のボタン画像が選択・無効の場合の画像等である。
【００３８】
ここで、第１のボタン画像は、通常時（押下及び選択等がされていない場合）の画像であり、図７（Ａ）に一例を示すように、矩形部２０１の右側及び下側に影が形成されている。この影は、例えば、次のようにして形成することができる。すなわち、まず、生成部９２は、選択部９１によって画像が選択されると、その選択された画像に対応する形状を複製（コピー）する。次に、生成部９２は、複製された形状（一方の矩形部）を黒色で塗りつぶして、複製の基礎となった形状（他方の矩形部）の下側に一方の矩形部を配置する。すなわち、生成部９２は、他方の矩形部の優先度を一方の矩形部よりも高める。次に、生成部９２は、一方の矩形部の位置を右下方向に所定の距離だけ移動させる。このような第１のボタン画像の作製方法は、以下に説明する第２のボタン画像を作製する場合にも適用することができる。なお、第１のボタン画像の色は、例えば、灰色である。
【００３９】
また、第１のボタン画像が押下された場合の画像は、図７（Ｂ）に一例を示すような第２のボタン画像になる。すなわち、図７（Ｂ）に示す第２のボタン画像では、矩形部２０２の左側及び上側に影が形成されている。
【００４０】
また、第１のボタン画像に対する操作が無効の場合の画像、図７（Ｃ）に一例を示すような第２のボタン画像になる。すなわち、図７（Ｃ）に示す第２のボタン画像では、形状が図７（Ａ）に示す第１のボタン画像と同じであり、色が図７（Ａ）に示す第１のボタン画像よりも所定の割合（一例として３０％）だけ透過が増すようになっている。すなわち、図７（Ｃ）に示す第２のボタン画像では、第１のボタン画像に比べて色が淡くなる。
【００４１】
また、第１のボタン画像が選択された場合の画像は、図８（Ａ）に一例を示すような第２のボタン画像になる。すなわち、図８（Ａ）に示す第２のボタン画像では、形状が図７（Ａ）に示す第１のボタン画像と同じであり、色が図７（Ａ）に示す第１のボタン画像とは異なる色になっている。例えば、図８（Ａ）に示す第２のボタン画像では、色が青色になっている。
【００４２】
また、第１のボタン画像が選択・押下されている場合の画像は、図８（Ｂ）に一例を示すような第２のボタン画像になる。すなわち、図８（Ｂ）に示す第２のボタン画像では、形状が図７（Ｂ）に示す第２のボタン画像と同じであり、色が図７（Ｂ）に示す第２のボタン画像とは異なる色になっている。例えば、図８（Ｂ）に示す第２のボタン画像では、色が青色になっている。
【００４３】
また、第１のボタン画像が選択・無効の場合の画像は、図８（Ｃ）に一例を示すような第２のボタン画像になる。すなわち、図８（Ｃ）に示す第２のボタン画像では、形状が図７（Ｃ）に示す第２のボタン画像と同じであり、色が図７（Ｃ）に示す第２のボタン画像とは異なる色になっている。例えば、図８（Ｃ）に示す第２のボタン画像では、色が淡い青色になっている。
【００４４】
このような第２のボタン画像が生成部９２によって生成された場合、記憶制御部９３は、第１のボタン画像データと、第２のボタン画像に対応する第２のボタン画像データとを記憶部８０に記憶する。
【００４５】
また、表示制御部９４は、記憶部８０から第１のボタン画像データを読み出して第１のボタン画像データに基づく第１のボタン画像をタッチパネル７２に表示させる。さらに、表示制御部９４は、検出部７２ｂによって第１のボタン画像に対応する領域へのタッチパネル７２（表示部７２ａ）に対する操作が検出された場合に、記憶部８０から第２のボタン画像データを読み出して第１のボタン画像に代えて第２のボタン画像データに基づく第２のボタン画像をタッチパネル７２に表示させる。
【００４６】
すなわち、まず、表示制御部９４は、第１のボタン画像データを記憶部８０から読み出して、その第１のボタン画像データに基づく第１のボタン画像（通常時のボタン画像）をタッチパネル７２に表示させる。そして、第１のボタン画像を操作（選択）するためにユーザーがタッチパネル７２をタッチした場合には、表示制御部９４は、複数の第２のボタン画像データのうちその操作（選択）に対応するデータを記憶部８０から読み出す。例えば、第１のボタン画像に対応するタッチパネル７２の領域がユーザーによってタッチされた場合には、表示制御部９４は、図７（Ｂ）に一例を示すような第２のボタン画像に対応する第２のボタン画像データを記憶部８０から読み出して、その第２のボタン画像を第１のボタン画像に代えてタッチパネル７２に表示させる。
【００４７】
また、図９は、タッチパネル７２に表示される第４の画面について説明するための図である。
ボタン画像作製部９５（図２参照）は、読取部としての原稿読取部２０によって読み取られた図形の画像に基づいて、その図形に対応する形状に関する画像を作製し、その画像に対応する画像データを形状画像データとして記憶部８０に記憶させる。この場合、原稿読取部２０は、原稿Ｇ（シート）に描かれた図形の画像を読み取る。
【００４８】
すなわち、図５に示す画面において「作製」ボタンが選択された場合には、表示制御部９４は、図９に示すボタン画像の作製画面をタッチパネル７２に表示させる。その作製画面には、原稿読取部２０によって図形を読み取るための「読み込み」ボタン、図形をコピーするための「コピー」ボタン、コピーされた図形をペーストするための「ペースト」ボタン、図形をボタン画像として確定するための「確定」ボタン、操作をキャンセルするための「キャンセル」ボタンが配置される。さらに、作製画面には、図形の色を設定するための複数のボタン（「黒」ボタン、「白」ボタン、「赤」ボタン、「黄」ボタン及び「青」ボタン）、及び、表示エリア７２１に表示される画像（形状）を拡大又は縮小するためのボタン（「Ｚｏｏｍ  Ｕｐ」ボタン及び「Ｚｏｏｍ  Ｄｏｗｎ」ボタン）等が配置される。
【００４９】
そして、「読み込み」ボタンが操作されることにより、原稿読取部２０によって原稿Ｇに描かれた図形の画像が読み取られた場合には、ボタン画像作製部９５は、その読み取られた図形に基づいて、ボタン画像を作製する。具体的な一例として、ボタン画像作製部９５は、原稿Ｇに描かれた図形が原稿読取部２０によって読み取られた場合には、その図形を解析することにより特徴点を抽出して、その特徴点を線又は曲線で接続する。これにより、ボタン画像作製部９５は、原稿Ｇに描かれた図形に対応する形状についての画像データを得る。そして、ボタン画像作製部９５は、得られた画像データに基づく画像（形状）を所定の表示エリア７２１に表示させる。その表示エリア７２１に画像（形状）が表示されている場合には、ボタン画像作製部９５は、画像（形状）の大きさを拡大し又は縮小することができ、また、画像（形状）の色を変更することもできる。ボタン画像の作製画面において「確定」が選択された場合には、ボタン画像作製部９５は、表示エリア７２１に表示される画像に対応する画像データを形状画像データとして記憶部８０に記憶する。このようにして、ボタン画像作製部９５は、選択部９１によって選択される形状画像データの数を増やすことが可能になる。
【００５０】
なお、ボタン画像作製部９５は、原稿読取部２０によって読み取られた図形に基づいて形状に関する画像を作製するばかりでなく、ＵＳＢ（Ｕｎｉｖｅｒｓａｌ  Ｓｅｒｉａｌ  Ｂｕｓ）メモリー等に記憶される画像データの図形に基づいて形状についての画像を作製することも可能である。
【００５１】
また、ログイン処理部９６（図２参照）は、外部から入力された識別情報を認証することに基づいて、ログイン処理を行う。識別情報は、例えば、ＩＣ（Ｉｎｔｅｇｒａｔｅｄ  Ｃｉｒｃｕｉｔ）カードに記憶されており、そのＩＣカードがコピー機１に設置されたカード読取装置（図示せず）に近づけられることにより、コピー機１に入力される。ログイン処理部９６は、外部から入力された識別情報と、予め記憶される識別情報とを比較することに基づいて、認証を行う。ログイン処理部９６は、外部から入力された識別情報と、予め記憶される識別情報とが一致する場合には、ログイン処理を実行する。
【００５２】
記憶制御部９３は、ログイン処理部９６によって認証された識別情報に対応させて第１のボタン画像データを記憶部８０に記憶する。すなわち、記憶制御部９３は、第１のボタン画像を生成させたユーザーに対応させて、第１のボタン画像データを記憶部８０に記憶する。
【００５３】
表示制御部９４は、ログイン処理部９６によってログイン処理が行われた場合に、ログイン処理部９６によって認証された識別情報に対応する第１のボタン画像データを記憶部８０にから読み出して、その第１のボタン画像データに基づく第１のボタン画像をタッチパネル７２に表示させる。すなわち、表示制御部９４は、ログイン処理部９６によってログイン処理が行われたユーザーに対応する第１の画像データを記憶部８０から読み出して、第１の画像データに基づく第１のボタン画像を表示部７２ａに表示させる。
【００５４】
また、図１０は、第１のボタン画像の配置位置について説明するための第１の図である。図１１は、第１のボタン画像の配置位置について説明するための第２の図である。
【００５５】
配置制御部９７（図２参照）は、タッチパネル７２に表示される第１のボタン画像の配置位置を変更する。
すなわち、図４に示す画面において「ボタン配置の設定」が選択された場合には、配置制御部９７は、第１のボタン画像の配置位置を変更することが可能になる。そして、表示制御部９４は、ユーザーの操作に基づいて、配置位置の変更対象となる第１のボタン画像をタッチパネル７２に表示させる。
【００５６】
例えば、第１のボタン画像としての星型の「画質設定ボタン」の配置位置を変更する場合、配置制御部９７は、図１０（Ａ）の矢印Ｂで示すように、ユーザーによって行われた「画質設定ボタン」のドラッグと所望の配置位置においてのドロップとに基づいて、画質設定ボタンの変更後の配置位置（座標）を特定する。そして、配置制御部９７は、変更後の配置位置（座標）と、「画質設定ボタン」を除く他の第１のボタン画像の配置位置（座標）とを比較し、両者の配置位置が重ならない場合には、「画質設定ボタン」の配置位置を変更する。そして、表示制御部９４は、図１０（Ｂ）に示すように、ユーザーが「画質設定ボタン」をドロップした位置に、「画質設定ボタン」をタッチパネル７２に表示させる。
【００５７】
また、配置制御部９７は、図１１（Ａ）の矢印Ｃで示すように、ユーザーによって「画質設定ボタン」のドラッグとドロップとが行われた場合には、画質設定ボタンの変更後の配置位置（座標）を特定する。そして、配置制御部９７は、変更後の配置位置（座標）と、「画質設定ボタン」を除く他の第１のボタン画像の配置位置（座標）とを比較し、両者の配置位置が重なる場合には、「画質設定ボタン」と、「画質設定ボタン」がドロップされた位置に配置されている第１のボタン画像（「用紙設定ボタン」）との配置位置を入れ替える。そして、表示制御部９４は、図１１（Ｂ）に示すように、ユーザーが「画質設定ボタン」をドロップした位置に「画質設定ボタン」を表示させ、「画質設定ボタン」の変更前の位置に「用紙設定ボタン」を表示させる。
【００５８】
なお、配置制御部９７は、ユーザーによって、タッチパネル７２における各第１のボタン画像の配置位置を初期状態に戻す操作が行われた場合には、例えば、「画質設定ボタン」や「用紙設定ボタン」を初期の配置位置に戻すよう設定する。
【００５９】
次に、本実施形態における入力装置１００（コピー機１）の動作について説明する。図１２は、入力装置１００（コピー機１）の動作について説明するためのフローチャートである。
【００６０】
ステップＳＴ１において、選択部９１は、記憶部８０に記憶される形状画像データそれぞれに基づく複数の形状の画像のうちいずれか１つの画像を選択する。すなわち、ユーザーがタッチパネル７２を操作することに基づいて複数の形状（一例として、円形、星型及び矢印型等）のうちいずれか１つの形状を選択した場合には、選択部９１は、ユーザーによって選択された形状に対応する画像を選択する。
【００６１】
ステップＳＴ２において、生成部９２は、選択部９１によって選択された画像についての形状の大きさを設定する。例えば、選択部９１によって星型に対応する画像が選択されている場合には、選択部９１は、その星型を拡大し又は縮小する。これにより、生成部９２は、第１のボタン画像を生成する。
【００６２】
ステップＳＴ３において、記憶制御部９３は、第１のボタン画像に対応する第１のボタン画像データを記憶部８０に記憶する。
【００６３】
ステップＳＴ４において、表示制御部９４は、記憶部８０から第１のボタン画像データを読み出して、その第１のボタン画像データに基づく第１のボタン画像をタッチパネル７２に表示させる。
【００６４】
以上説明したように、本実施形態の入力装置１００によれば、以下の効果が奏される。
すなわち、本実施形態の入力装置１００は、記憶部８０に記憶される形状画像データそれぞれに基づく複数の形状の画像のうちいずれか１つの画像を選択する選択部９１と、選択部９１によって選択された画像についての形状の大きさを設定して第１のボタン画像を生成する生成部９２と、生成部９２によって生成された第１のボタン画像に対応する第１のボタン画像データを記憶部８０に記憶する記憶制御部９３と、記憶制御部９３によって記憶部８０に記憶された第１のボタン画像データに基づく第１のボタン画像をタッチパネル７２に表示させる表示制御部９４と、を備える。これにより、入力装置１００は、タッチパネル７２に表示されるボタンに特徴を持たせるために、第１のボタン画像の形状を他のボタン画像と相違させることができる。
【００６５】
また、入力装置１００の表示制御部９４は、記憶部８０から第１のボタン画像データを読み出して第１のボタン画像データに基づく第１のボタン画像をタッチパネル７２に表示させると共に、検出部７２ｂによって第１のボタン画像に対応する領域へのタッチパネル７２に対する操作が検出された場合に、記憶部８０から第２のボタン画像データを読み出して第１のボタン画像に代えて第２のボタン画像データに基づく第２のボタン画像をタッチパネル７２に表示させる。これにより、表示制御部９４は、他のボタン画像よりも特徴を有する第１のボタン画像が操作された場合でも、特徴ある第１のボタン画像に対応する第２のボタン画像をタッチパネル７２に表示させることができる。
【００６６】
また、入力装置１００のボタン画像作製部９５は、原稿読取部２０によって読み取られた図形の画像に基づいてその図形に対応する形状に関する画像を作製し、その画像に対応する画像データを形状画像データとして記憶部８０に記憶させる。これにより、ボタン画像作製部９５は、形状画像データの数を増やすことができる。よって、入力装置１００は、ユーザーの好みに応じた、より特徴ある第１のボタン画像を作製することができる。
【００６７】
また、入力装置１００の表示制御部９４は、ログイン処理部９６によってログイン処理が行われた場合に、ログイン処理部９６によって認証された識別情報に対応する第１のボタン画像データを記憶部８０にから読み出して、第１のボタン画像データに基づく第１のボタン画像をタッチパネル７２に表示させる。これにより、表示制御部９４は、ユーザー毎に第１のボタン画像を設定することができる。
【００６８】
なお、本発明は、上述した実施形態に限定されることはなく、種々の形態で実施することができる。
本実施形態のコピー機１は、カラーコピー機であるが、この形態に限定されることはなく、モノクロコピー機であってもよい。
また、本実施形態のコピー機１は、中間転写ベルト４８を介して用紙Ｔにトナー画像を転写している（間接転写方式）が、この形態に限定されることはなく、感光体ドラムに形成されたトナー画像を直接に用紙Ｔに転写してもよい（直接転写方式）。
また、本実施形態のコピー機１は、用紙Ｔの片面を印刷する構成であるが、これに限定されることはなく、用紙の両面を印刷する構成であってもよい。
【００６９】
また、本発明の画像形成装置は、上述したコピー機１に限定されることはない。すなわち、本発明の画像形成装置は、コピー機能、ファクシミリ機能、プリンター機能及びスキャナ機能を備える複合機であってもよい。
また、本発明の画像形成装置によってトナー画像が定着される被画像形成媒体は用紙Ｔに限定されることはなく、例えば、ＯＨＰ（オーバーヘッドプロジェクター）シート等のフィルムシートであってもよい。
【符号の説明】
【００７０】
１…コピー機（画像形成装置）、２０…原稿読取部（読取部）、７０…操作部、７２…タッチパネル、７２ａ…表示部、７２ｂ…検出部、８０…記憶部、９０…制御部、９１…選択部、９２…生成部、９３…記憶制御部、９４…表示制御部、９５…ボタン画像作製部、９６…ログイン処理部、１００…入力装置
【図１】
0005526089.tif 000002
【図２】
0005526089.tif 000003
【図３】
0005526089.tif 000004
【図４】
0005526089.tif 000005
【図５】
0005526089.tif 000006
【図６】
0005526089.tif 000007
【図７】
0005526089.tif 000008
【図８】
0005526089.tif 000009
【図９】
0005526089.tif 000010
【図１０】
0005526089.tif 000011
【図１１】
0005526089.tif 000012
【図１２】
0005526089.tif 000013